【手続補正書】
【提出日】平成17年6月24日(2005.6.24)
【手続補正１】
【補正対象書類名】明細書
【補正対象項目名】特許請求の範囲
【補正方法】変更
【補正の内容】
【特許請求の範囲】
【請求項１】
表示画面に、時間経過方向を横向きにして、リアルタイムで脳波波形を表示する第１画面領域と、当該第１画面領域の時間経過側の横に、リアルタイムで表示されていた前記脳波波形を逐次、ＤＳＡ表示又はＣＳＡ表示する第２画面領域と、を有する脳波関連情報表示画面領域と、
前記脳波関連情報表示画面領域での時間経過方向と同じくして、横向きにリアルタイムで脈波波形を表示する第３画面領域と、当該第３画面領域の時間経過側横に、リアルタイムで表示されていた前記脈波波形を逐次、圧縮表示する第４画面領域と、を有する脈波関連情報表示画面領域とを設け、
前記第１画面領域に表示される前記脳波波形と、前記第３画面領域に表示される前記脈波波形と、を同期して表示させ、
前記第２画面領域に表示される前記脳波波形のＤＳＡ表示又は前記脳波波形のＣＳＡ表示と、前記第４画面領域に表示される前記脈波波形の圧縮表示と、を同期して表示させることを特徴とする生体情報表示方法。
【請求項２】
表示画面に、時間経過方向を横向きにして、リアルタイムで脳波波形を表示する第１画面領域と、当該第１画面領域の時間経過側の横に、リアルタイムで表示されていた前記脳波波形を逐次、ＤＳＡ表示又はＣＳＡ表示する第２画面領域と、を有する脳波関連情報表示画面領域と、
前記脳波関連情報表示画面領域での時間経過方向と同じくして、横向きにリアルタイムで心電図波形を表示する第５画面領域と、当該第５画面領域の時間経過側横に、リアルタイムで表示されていた前記心電図波形から逐次求められる心電図波形関連情報をトレンド表示する第６画面領域と、を有する心電図関連情報表示画面領域とを設け、
前記第１画面領域に表示される前記脳波波形と、前記第５画面領域に表示される前記心電図波形と、を同期して表示させ、
前記第２画面領域に表示される前記脳波波形のＤＳＡ表示又は前記脳波波形のＣＳＡ表示と、前記第６画面領域に表示される前記心電図波形関連情報のトレンド表示とを同期して表示させることを特徴とする生体情報表示方法。
【請求項３】
請求項１又は請求項２に記載の生体情報表示方法において、
前記第２画面領域内でカーソルをクリックすることにより、クリックされた付近の前記脳波波形のＤＳＡ表示又は前記脳波波形のＣＳＡ表示を、前記第２画面領域が表示されたウィンドウとは別のウィンドウに拡大ＤＳＡ表示及び／又は拡大ＣＳＡ表示として表示させることを特徴とする生体情報表示方法。
【請求項４】
脳波を検出するための脳波電極と、脈波を検出するための脈波センサとを有し、前記脳波電極及び前記脈波センサにより検出された生体信号を脳波関連情報及び脈波関連情報として表示画面に表示させる生体情報表示装置であって、
当該表示画面に生体情報を表示させるための脳波関連情報表示手段と脈波関連情報表示手段とを有し、
前記脳波関連情報表示手段は、時間経過方向を横向きにして、リアルタイムで脳波波形を表示させる第１画面表示手段と、当該第１画面表示手段によって表示された領域の時間経過側の横に、リアルタイムで表示されていた前記脳波波形を逐次、ＤＳＡ表示又はＣＳＡ表示させる第２画面表示手段と、を有し、
前記脈波関連情報表示手段は、前記脳波関連情報表示手段によって表示された領域の時間経過方向と同じくして、横向きにリアルタイムで脈波波形を表示する第３画面表示手段と、当該第３画面表示手段によって表示された領域の時間経過側横に、リアルタイムで表示されていた前記脈波波形を逐次、圧縮表示する第４画面表示手段と、を有し、
前記第１画面表示手段によって表示される前記脳波波形と、前記第３画面表示手段によって表示される前記脈波波形と、が同期して表示され、
前記第２画面表示手段によって表示される前記脳波波形のＤＳＡ表示又は前記脳波波形のＣＳＡ表示と、前記第４画面表示手段によって表示される前記圧縮表示と、が同期して表示されてなることを特徴とする生体情報表示装置。
【請求項５】
脳波を検出するための脳波電極と、脈波を検出するための脈波センサとを有し、前記脳波電極及び前記脈波センサにより検出された生体信号を脳波関連情報及び心電図関連情報として表示画面に表示させる生体情報表示装置であって、
当該表示画面に生体情報を表示させるための脳波関連情報表示手段と心電図関連情報表示手段とを有し、
前記脳波関連情報表示手段は、時間経過方向を横向きにして、リアルタイムで脳波波形を表示させる第１画面表示手段と、当該第１画面表示手段によって表示された領域の時間経過側の横に、リアルタイムで表示されていた前記脳波波形を逐次、ＤＳＡ表示又はＣＳＡ表示させる第２画面表示手段と、を有し、
前記心電図関連情報表示手段は、前記脳波関連情報表示手段での時間経過方向と同じくして、横向きにリアルタイムで心電図波形を表示する第５画面表示手段と、当該第５画面表示手段によって表示された領域の時間経過側横に、リアルタイムで表示されていた前記心電図波形から逐次求められる心電図波形関連情報をトレンド表示する第６画面表示手段と、を有し、
前記第１画面表示手段によって表示される前記脳波波形と、前記第５画面表示手段によって表示される前記心電図波形と、が同期して表示され、
前記第２画面表示手段によって表示される前記脳波波形のＤＳＡ表示又は前記脳波波形のＣＳＡ表示と、前記第６画面表示手段によって表示される前記心電図波形関連情報のトレンド表示と、が同期して表示されてなることを特徴とする生体情報表示装置。
【請求項６】
請求項４又は請求項５に記載の生体情報表示装置において、
前記第２画面表示手段によって表示される領域内でカーソルがクリックされることにより、クリックされた付近の前記脳波波形のＤＳＡ表示又は前記脳波波形のＣＳＡ表示を、前記第２画面領域が表示されたウィンドウとは別のウィンドウに拡大ＤＳＡ表示及び／又は拡大ＣＳＡ表示として表示する拡大画面表示手段を有することを特徴とする生体情報表示装置。
【請求項７】
表示画面に、時間経過方向を横向きにして、リアルタイムで脳波波形を表示する第１画面領域と、当該第１画面領域の時間経過側の横に、リアルタイムで表示されていた前記脳波波形を逐次、ＤＳＡ表示又はＣＳＡ表示する第２画面領域と、を有する脳波関連情報表示画面領域と、
前記脳波関連情報表示画面領域での時間経過方向と同じくして、横向きにリアルタイムで他の生体情報波形を表示する第７画面領域と、当該第７画面領域の時間経過側横に、リアルタイムで表示されていた前記他の生体情報波形を逐次圧縮表示し又は前記他の生体情報波形に関連する情報を表示する第８画面領域と、を有する生体情報表示画面領域とを設け、
前記第１画面領域に表示される前記脳波波形と、前記第７画面領域に表示される前記他の生体情報波形と、を同期して表示させ、
前記第２画面領域に表示される前記脳波波形のＤＳＡ表示又は前記脳波波形のＣＳＡ表示と、前記第８画面領域に表示される前記他の生体情報波形の圧縮表示又は前記他の生体情報波形に関連する情報と、を同期して表示させることを特徴とする生体情報表示方法。
【請求項８】
表示画面に、時間経過方向を横向きにして、リアルタイムで脳波波形を表示する第１画面領域と、当該第１画面領域の時間経過側の横に、リアルタイムで表示されていた前記脳波波形を逐次、ＤＳＡ表示又はＣＳＡ表示する第２画面領域と、を有する脳波関連情報表示画面領域と、
前記脳波関連情報表示画面領域での時間経過方向と同じくして、横向きにリアルタイムで他の生体情報波形を表示する第７画面領域と、当該第７画面領域の時間経過側横に、リアルタイムで表示されていた前記他の生体情報波形を逐次圧縮表示し又は前記他の生体情報波形に関連する情報を表示する第８画面領域と、を有する生体情報表示画面領域とを設け、
前記第２画面領域に表示される前記脳波波形のＤＳＡ表示又は前記脳波波形のＣＳＡ表示と、前記第８画面領域に表示される前記他の生体情報波形の圧縮表示又は前記他の生体情報波形に関連する情報と、を同期して表示させることを特徴とする生体情報表示方法。
【手続補正２】
【補正対象書類名】明細書
【補正対象項目名】０００８
【補正方法】変更
【補正の内容】
【０００８】
【課題を解決するための手段】
本発明に係る生体情報表示方法は、請求項１に記載したように、表示画面に、時間経過方向を横向きにして、リアルタイムで脳波波形を表示する第１画面領域と、当該第１画面領域の時間経過側の横に、リアルタイムで表示されていた前記脳波波形を逐次、ＤＳＡ表示又はＣＳＡ表示する第２画面領域と、を有する脳波関連情報表示画面領域と、前記脳波関連情報表示画面領域での時間経過方向と同じくして、横向きにリアルタイムで脈波波形を表示する第３画面領域と、当該第３画面領域の時間経過側横に、リアルタイムで表示されていた前記脈波波形を逐次、圧縮表示する第４画面領域と、を有する脈波関連情報表示画面領域とを設け、前記第１画面領域に表示される前記脳波波形と、前記第３画面領域に表示される前記脈波波形と、を同期して表示させ、前記第２画面領域に表示される前記脳波波形のＤＳＡ表示又は前記脳波波形のＣＳＡ表示と、前記第４画面領域に表示される前記脈波波形の圧縮表示と、を同期して表示させることを特徴とする。
上記生体情報表示方法によって、脳波関連情報と脈波関連情報とを同一の時間軸で表示できるので、生体信号の変化の時間関係を一目で把握でき、患者の容態変化の原因をより的確に診断することに資することができる。
【手続補正３】
【補正対象書類名】明細書
【補正対象項目名】０００９
【補正方法】変更
【補正の内容】
【０００９】
また、本発明に係る生体情報表示方法は、請求項２に記載したように、表示画面に、時間経過方向を横向きにして、リアルタイムで脳波波形を表示する第１画面領域と、当該第１画面領域の時間経過側の横に、リアルタイムで表示されていた前記脳波波形を逐次、ＤＳＡ表示又はＣＳＡ表示する第２画面領域と、を有する脳波関連情報表示画面領域と、前記脳波関連情報表示画面領域での時間経過方向と同じくして、横向きにリアルタイムで心電図波形を表示する第５画面領域と、当該第５画面領域の時間経過側横に、リアルタイムで表示されていた前記心電図波形から逐次求められる心電図波形関連情報をトレンド表示する第６画面領域と、を有する心電図関連情報表示画面領域とを設け、前記第１画面領域に表示される前記脳波波形と、前記第５画面領域に表示される前記心電図波形と、を同期して表示させ、前記第２画面領域に表示される前記脳波波形のＤＳＡ表示又は前記脳波波形のＣＳＡ表示と、前記第６画面領域に表示される前記心電図波形関連情報のトレンド表示とを同期して表示させることを特徴とする。
上記生体情報表示方法によって、脳波関連情報と心電図関連情報とを同一の時間軸で表示できるので、生体信号の変化の時間関係を一目で把握でき、患者の容態変化の原因をより的確に診断することに資することができる。
【手続補正４】
【補正対象書類名】明細書
【補正対象項目名】００１１
【補正方法】変更
【補正の内容】
【００１１】
本発明に係る生体情報表示装置は、請求項４に記載したように、脳波を検出するための脳波電極と、脈波を検出するための脈波センサとを有し、前記脳波電極及び前記脈波センサにより検出された生体信号を脳波関連情報及び脈波関連情報として表示画面に表示させる生体情報表示装置であって、当該表示画面に生体情報を表示させるための脳波関連情報表示手段と脈波関連情報表示手段とを有し、前記脳波関連情報表示手段は、時間経過方向を横向きにして、リアルタイムで脳波波形を表示させる第１画面表示手段と、当該第１画面表示手段によって表示された領域の時間経過側の横に、リアルタイムで表示されていた前記脳波波形を逐次、ＤＳＡ表示又はＣＳＡ表示させる第２画面表示手段と、を有し、前記脈波関連情報表示手段は、前記脳波関連情報表示手段によって表示された領域の時間経過方向と同じくして、横向きにリアルタイムで脈波波形を表示する第３画面表示手段と、当該第３画面表示手段によって表示された領域の時間経過側横に、リアルタイムで表示されていた前記脈波波形を逐次、圧縮表示する第４画面表示手段と、を有し、前記第１画面表示手段によって表示される前記脳波波形と、前記第３画面表示手段によって表示される前記脈波波形と、が同期して表示され、前記第２画面表示手段によって表示される前記脳波波形のＤＳＡ表示又は前記脳波波形のＣＳＡ表示と、前記第４画面表示手段によって表示される前記圧縮表示と、が同期して表示されてなることを特徴とする。
上記生体情報表示装置の表示画面に、脳波関連情報と脈波関連情報とが同一の時間軸で表示されるので、生体信号の変化の時間関係を一目で把握でき、患者の容態変化の原因をより的確に診断することに資することができる。
【手続補正５】
【補正対象書類名】明細書
【補正対象項目名】００１２
【補正方法】変更
【補正の内容】
【００１２】
また、本発明に係る生体情報表示装置は、請求項５に記載したように、脳波を検出するための脳波電極と、脈波を検出するための脈波センサとを有し、前記脳波電極及び前記脈波センサにより検出された生体信号を脳波関連情報及び心電図関連情報として表示画面に表示させる生体情報表示装置であって、当該表示画面に生体情報を表示させるための脳波関連情報表示手段と心電図関連情報表示手段とを有し、前記脳波関連情報表示手段は、時間経過方向を横向きにして、リアルタイムで脳波波形を表示させる第１画面表示手段と、当該第１画面表示手段によって表示された領域の時間経過側の横に、リアルタイムで表示されていた前記脳波波形を逐次、ＤＳＡ表示又はＣＳＡ表示させる第２画面表示手段と、を有し、前記心電図関連情報表示手段は、前記脳波関連情報表示手段での時間経過方向と同じくして、横向きにリアルタイムで心電図波形を表示する第５画面表示手段と、当該第５画面表示手段によって表示された領域の時間経過側横に、リアルタイムで表示されていた前記心電図波形から逐次求められる心電図波形関連情報をトレンド表示する第６画面表示手段と、を有し、前記第１画面表示手段によって表示される前記脳波波形と、前記第５画面表示手段によって表示される前記心電図波形と、が同期して表示され、前記第２画面表示手段によって表示される前記脳波波形のＤＳＡ表示又は前記脳波波形のＣＳＡ表示と、前記第６画面表示手段によって表示される前記心電図波形関連情報のトレンド表示と、が同期して表示されてなることを特徴とする。
上記生体情報表示装置の表示画面に、脳波関連情報と心電図関連情報とが同一の時間軸で表示されるので、生体信号の変化の時間関係を一目で把握でき、患者の容態変化の原因をより的確に診断することに資することができる。
【手続補正６】
【補正対象書類名】明細書
【補正対象項目名】００１４
【補正方法】変更
【補正の内容】
【００１４】
また、本発明に係る生体情報表示方法は、請求項７に記載したように、表示画面に、時間経過方向を横向きにして、リアルタイムで脳波波形を表示する第１画面領域と、当該第１画面領域の時間経過側の横に、リアルタイムで表示されていた前記脳波波形を逐次、ＤＳＡ表示又はＣＳＡ表示する第２画面領域と、を有する脳波関連情報表示画面領域と、前記脳波関連情報表示画面領域での時間経過方向と同じくして、横向きにリアルタイムで他の生体情報波形を表示する第７画面領域と、当該第７画面領域の時間経過側横に、リアルタイムで表示されていた前記他の生体情報波形を逐次圧縮表示し又は前記他の生体情報波形に関連する情報を表示する第８画面領域と、を有する生体情報表示画面領域とを設け、前記第１画面領域に表示される前記脳波波形と、前記第７画面領域に表示される前記他の生体情報波形と、を同期して表示させ、前記第２画面領域に表示される前記脳波波形のＤＳＡ表示又は前記脳波波形のＣＳＡ表示と、前記第８画面領域に表示される前記他の生体情報波形の圧縮表示又は前記他の生体情報波形に関連する情報と、を同期して表示させることを特徴とする。
また、本発明に係る生体情報表示方法は、請求項８に記載したように、表示画面に、時間経過方向を横向きにして、リアルタイムで脳波波形を表示する第１画面領域と、当該第１画面領域の時間経過側の横に、リアルタイムで表示されていた前記脳波波形を逐次、ＤＳＡ表示又はＣＳＡ表示する第２画面領域と、を有する脳波関連情報表示画面領域と、前記脳波関連情報表示画面領域での時間経過方向と同じくして、横向きにリアルタイムで他の生体情報波形を表示する第７画面領域と、当該第７画面領域の時間経過側横に、リアルタイムで表示されていた前記他の生体情報波形を逐次圧縮表示し又は前記他の生体情報波形に関連する情報を表示する第８画面領域と、を有する生体情報表示画面領域とを設け、前記第２画面領域に表示される前記脳波波形のＤＳＡ表示又は前記脳波波形のＣＳＡ表示と、前記第８画面領域に表示される前記他の生体情報波形の圧縮表示又は前記他の生体情報波形に関連する情報と、を同期して表示させることを特徴とする。
上記請求項７又は請求項８に記載した生体情報表示方法によって、脳波関連情報と他の生体情報波形とを同一の時間軸で表示できるので、生体信号の変化の時間関係を一目で把握でき、患者の容態変化の原因をより的確に診断することに資することができる。
【手続補正７】
【補正対象書類名】明細書
【補正対象項目名】００３２
【補正方法】変更
【補正の内容】
【００３２】
そして、各波形の表示の略中央部分に示した仮想的な画面分割線（画面には表示されない）の右側は、右端（現時刻）から画面分割線に向かって時間を遡るように、リアルタイムに時間経過順に表示されている（図２における第１画面領域１５，第３画面領域１７，第５画面領域１９に相当）。
【手続補正８】
【補正対象書類名】明細書
【補正対象項目名】００３８
【補正方法】変更
【補正の内容】
【００３８】
【発明の効果】
以上詳記したように、本発明によれば、請求項１に記載したように、表示画面に、時間経過方向を横向きにして、リアルタイムで脳波波形を表示する第１画面領域と、当該第１画面領域の時間経過側の横に、リアルタイムで表示されていた前記脳波波形を逐次、ＤＳＡ表示又はＣＳＡ表示する第２画面領域と、を有する脳波関連情報表示画面領域と、前記脳波関連情報表示画面領域での時間経過方向と同じくして、横向きにリアルタイムで脈波波形を表示する第３画面領域と、当該第３画面領域の時間経過側横に、リアルタイムで表示されていた前記脈波波形を逐次、圧縮表示する第４画面領域と、を有する脈波関連情報表示画面領域とを設け、前記第１画面領域に表示される前記脳波波形と、前記第３画面領域に表示される前記脈波波形と、を同期して表示させ、前記第２画面領域に表示される前記脳波波形のＤＳＡ表示又は前記脳波波形のＣＳＡ表示と、前記第４画面領域に表示される前記脈波波形の圧縮表示と、を同期して表示させることで、脳波関連情報と脈波関連情報とを同一の時間軸で表示できるので、生体信号の変化の時間関係を一目で把握でき、患者の容態変化の原因をより的確に診断することに資することができる生体情報表示方法を提供することができる。
【手続補正９】
【補正対象書類名】明細書
【補正対象項目名】００３９
【補正方法】変更
【補正の内容】
【００３９】
また、本発明によれば、請求項２に記載したように、表示画面に、時間経過方向を横向きにして、リアルタイムで脳波波形を表示する第１画面領域と、当該第１画面領域の時間経過側の横に、リアルタイムで表示されていた前記脳波波形を逐次、ＤＳＡ表示又はＣＳＡ表示する第２画面領域と、を有する脳波関連情報表示画面領域と、前記脳波関連情報表示画面領域での時間経過方向と同じくして、横向きにリアルタイムで心電図波形を表示する第５画面領域と、当該第５画面領域の時間経過側横に、リアルタイムで表示されていた前記心電図波形から逐次求められる心電図波形関連情報をトレンド表示する第６画面領域と、を有する心電図関連情報表示画面領域とを設け、前記第１画面領域に表示される前記脳波波形と、前記第５画面領域に表示される前記心電図波形と、を同期して表示させ、前記第２画面領域に表示される前記脳波波形のＤＳＡ表示又は前記脳波波形のＣＳＡ表示と、前記第６画面領域に表示される前記心電図波形関連情報のトレンド表示とを同期して表示させることで、脳波関連情報と心電図関連情報とを同一の時間軸で表示できるので、生体信号の変化の時間関係を一目で把握でき、患者の容態変化の原因をより的確に診断することに資することができる生体情報表示方法を提供することができる。
【手続補正１０】
【補正対象書類名】明細書
【補正対象項目名】００４１
【補正方法】変更
【補正の内容】
【００４１】
本発明によれば、請求項４に記載したように、脳波を検出するための脳波電極と、脈波を検出するための脈波センサとを有し、前記脳波電極及び前記脈波センサにより検出された生体信号を脳波関連情報及び脈波関連情報として表示画面に表示させる生体情報表示装置であって、当該表示画面に生体情報を表示させるための脳波関連情報表示手段と脈波関連情報表示手段とを有し、前記脳波関連情報表示手段は、時間経過方向を横向きにして、リアルタイムで脳波波形を表示させる第１画面表示手段と、当該第１画面表示手段によって表示された領域の時間経過側の横に、リアルタイムで表示されていた前記脳波波形を逐次、ＤＳＡ表示又はＣＳＡ表示させる第２画面表示手段と、を有し、前記脈波関連情報表示手段は、前記脳波関連情報表示手段によって表示された領域の時間経過方向と同じくして、横向きにリアルタイムで脈波波形を表示する第３画面表示手段と、当該第３画面表示手段によって表示された領域の時間経過側横に、リアルタイムで表示されていた前記脈波波形を逐次、圧縮表示する第４画面表示手段と、を有し、前記第１画面表示手段によって表示される前記脳波波形と、前記第３画面表示手段によって表示される前記脈波波形と、が同期して表示され、前記第２画面表示手段によって表示される前記脳波波形のＤＳＡ表示又は前記脳波波形のＣＳＡ表示と、前記第４画面表示手段によって表示される前記圧縮表示と、が同期して表示されてなることで、生体信号の変化の時間関係を一目で把握でき、患者の容態変化の原因をより的確に診断することに資することができる生体情報表示装置を提供することができる。
【手続補正１１】
【補正対象書類名】明細書
【補正対象項目名】００４２
【補正方法】変更
【補正の内容】
【００４２】
また、本発明によれば、請求項５に記載したように、脳波を検出するための脳波電極と、脈波を検出するための脈波センサとを有し、前記脳波電極及び前記脈波センサにより検出された生体信号を脳波関連情報及び心電図関連情報として表示画面に表示させる生体情報表示装置であって、当該表示画面に生体情報を表示させるための脳波関連情報表示手段と心電図関連情報表示手段とを有し、前記脳波関連情報表示手段は、時間経過方向を横向きにして、リアルタイムで脳波波形を表示させる第１画面表示手段と、当該第１画面表示手段によって表示された領域の時間経過側の横に、リアルタイムで表示されていた前記脳波波形を逐次、ＤＳＡ表示又はＣＳＡ表示させる第２画面表示手段と、を有し、前記心電図関連情報表示手段は、前記脳波関連情報表示手段での時間経過方向と同じくして、横向きにリアルタイムで心電図波形を表示する第５画面表示手段と、当該第５画面表示手段によって表示された領域の時間経過側横に、リアルタイムで表示されていた前記心電図波形から逐次求められる心電図波形関連情報をトレンド表示する第６画面表示手段と、を有し、前記第１画面表示手段によって表示される前記脳波波形と、前記第５画面表示手段によって表示される前記心電図波形と、が同期して表示され、前記第２画面表示手段によって表示される前記脳波波形のＤＳＡ表示又は前記脳波波形のＣＳＡ表示と、前記第６画面表示手段によって表示される前記心電図波形関連情報のトレンド表示と、が同期して表示されてなることで、生体信号の変化の時間関係を一目で把握でき、患者の容態変化の原因をより的確に診断することに資することができる生体情報表示装置を提供することができる。
【手続補正１２】
【補正対象書類名】明細書
【補正対象項目名】００４４
【補正方法】変更
【補正の内容】
【００４４】
また、本発明によれば、請求項７に記載したように、表示画面に、時間経過方向を横向きにして、リアルタイムで脳波波形を表示する第１画面領域と、当該第１画面領域の時間経過側の横に、リアルタイムで表示されていた前記脳波波形を逐次、ＤＳＡ表示又はＣＳＡ表示する第２画面領域と、を有する脳波関連情報表示画面領域と、前記脳波関連情報表示画面領域での時間経過方向と同じくして、横向きにリアルタイムで他の生体情報波形を表示する第７画面領域と、当該第７画面領域の時間経過側横に、リアルタイムで表示されていた前記他の生体情報波形を逐次圧縮表示し又は前記他の生体情報波形に関連する情報を表示する第８画面領域と、を有する生体情報表示画面領域とを設け、前記第１画面領域に表示される前記脳波波形と、前記第７画面領域に表示される前記他の生体情報波形と、を同期して表示させ、前記第２画面領域に表示される前記脳波波形のＤＳＡ表示又は前記脳波波形のＣＳＡ表示と、前記第８画面領域に表示される前記他の生体情報波形の圧縮表示又は前記他の生体情報波形に関連する情報と、を同期して表示させることを特徴とする。
また、請求項８に記載したように、表示画面に、時間経過方向を横向きにして、リアルタイムで脳波波形を表示する第１画面領域と、当該第１画面領域の時間経過側の横に、リアルタイムで表示されていた前記脳波波形を逐次、ＤＳＡ表示又はＣＳＡ表示する第２画面領域と、を有する脳波関連情報表示画面領域と、前記脳波関連情報表示画面領域での時間経過方向と同じくして、横向きにリアルタイムで他の生体情報波形を表示する第７画面領域と、当該第７画面領域の時間経過側横に、リアルタイムで表示されていた前記他の生体情報波形を逐次圧縮表示し又は前記他の生体情報波形に関連する情報を表示する第８画面領域と、を有する生体情報表示画面領域とを設け、前記第２画面領域に表示される前記脳波波形のＤＳＡ表示又は前記脳波波形のＣＳＡ表示と、前記第８画面領域に表示される前記他の生体情報波形の圧縮表示又は前記他の生体情報波形に関連する情報と、を同期して表示させることを特徴とする。
これにより、脳波関連情報と他の生体情報波形とを同一の時間軸で表示できるので、生体信号の変化の時間関係を一目で把握でき、患者の容態変化の原因をより的確に診断することに資することができる生体情報表示方法を提供することができる。
【手続補正１３】
【補正対象書類名】明細書
【補正対象項目名】図３
【補正方法】変更
【補正の内容】
【図３】
2003079591.tif 000001